(57)【要約】【課題】  円滑な放電を可能にし，放電セルで発光した可視光が遮断されるのを最少化して光効率を向上させることのできるプラズマ表示パネルを提供する。【解決手段】  対向配置される前面基板１及び背面基板３と，前面基板１と背面基板３との間に連続して配置され，放電セル１１Ｒ，１１Ｇ，１１Ｂの一方向に対向する側壁となる複数の隔壁５と，隔壁５と交差する方向に交互に連続して伸張形成され，放電セル１１Ｒ，１１Ｇ，１１Ｂの一方向と交差する方向に対向する側壁となるＸ電極７及びＹ電極９と，隔壁５と，Ｘ電極７及びＹ電極９とによって区切られた放電セル１１Ｒ，１１Ｇ，１１Ｂ内にそれぞれ形成される蛍光体層１３Ｒ，１３Ｇ，１３Ｂと，背面基板３に，一方向に伸張形成されるアドレス電極１５と，前面基板１に，アドレス電極１５と交差する方向に伸張形成されるＭ電極１７と，を備える。【選択図】    図１
2006019291.tif 000002
【特許請求の範囲】
【請求項１】
側壁に囲まれた閉鎖型の放電セルを有する交流駆動型のプラズマ表示パネルにおいて；
互いに対向配置される第１基板及び第２基板と，
前記第１基板と前記第２基板との間に配置され，前記放電セルの一方向に対向する側壁となる複数の隔壁と，
前記隔壁と交差する方向に交互に連続して伸張形成され，前記放電セルの前記一方向と交差する方向に対向する側壁となる第１電極及び第２電極と，
前記隔壁と，前記第１電極及び前記第２電極とによって区切られた前記放電セル内にそれぞれ形成される蛍光体層と，
前記第２基板に，前記隔壁と同方向に伸張形成されるアドレス電極と，
前記第１基板に，前記アドレス電極と交差する方向に伸張形成される第３電極と，
を備えることを特徴とする，プラズマ表示パネル。
【請求項２】
前記放電セルは，前記アドレス電極の伸張方向に形成される前記隔壁と，前記隔壁と交差する方向に配置される前記第１電極及び前記第２電極とによって，四角形に形成されることを特徴とする，請求項１に記載のプラズマ表示パネル。
【請求項３】
前記第１電極及び前記第２電極は，前記アドレス電極の伸張方向に隣接する放電セルに共通に作用するように配置されることを特徴とする，請求項１または２に記載のプラズマ表示パネル。
【請求項４】
前記第１電極，前記第２電極及び前記第３電極は，前記第１基板と前記第２基板との間に，第１電極，第３電極，第２電極，第３電極，第１電極の順序に反復配置されることを特徴とする，請求項１〜３のいずれかに記載のプラズマ表示パネル。
【請求項５】
前記第１電極及び前記第２電極は，帯状に形成され，前記放電セルの前記アドレス電極の伸張方向の両側に平行に面対向配置されることを特徴とする，請求項１〜４のいずれかに記載のプラズマ表示パネル。
【請求項６】
前記第１電極及び前記第２電極は，電気伝導性に優れた金属材質で形成されることを特徴とする，請求項１〜５のいずれかに記載のプラズマ表示パネル。
【請求項７】
前記第１電極及び前記第２電極の前記アドレス電極の伸張方向の両側面には，誘電層が形成されることを特徴とする，請求項１〜６のいずれかに記載のプラズマ表示パネル。
【請求項８】
前記誘電層は，前記蛍光体層で覆われることを特徴とする，請求項７に記載のプラズマ表示パネル。
【請求項９】
前記第３電極は，
前記第１基板上に前記第１電極及び前記第２電極と同方向に伸張形成され，前記第１電極と前記第２電極との間に対応して位置する透明電極と，
前記透明電極上に前記透明電極と同方向に伸張形成されるバス電極と，
を有することを特徴とする，請求項１〜８のいずれかに記載のプラズマ表示パネル。
【請求項１０】
前記バス電極の幅は，前記透明電極の幅より狭く形成されることを特徴とする，請求項９に記載のプラズマ表示パネル。
【請求項１１】
前記第３電極は，前記誘電層とＭｇＯ保護膜とで覆われることを特徴とする，請求項９または１０に記載のプラズマ表示パネル。
【請求項１２】
前記放電セルは，前記アドレス電極の伸張方向に形成された前記隔壁と，前記隔壁と交差する方向に配置される前記第１電極及び前記第２電極とによって，四角形に形成され，
前記第１電極は，第１隔壁部材を挟む両側に分離形成され，
前記第２電極は，第２隔壁部材を挟む両側に分離形成されることを特徴とする，請求項１に記載のプラズマ表示パネル。
【請求項１３】
前記第１電極は，前記第１隔壁部材の高さと同一な高さを有し，前記第１基板と前記第２基板との間に配置され，
前記第２電極は，前記第２隔壁部材の高さと同一な高さを有し，前記第１基板と前記第２基板との間に配置されることを特徴とする，請求項１２に記載のプラズマ表示パネル。
【請求項１４】
前記第１隔壁部材の高さと同一な高さを有する前記第１電極は誘電層で覆われ，
前記第２隔壁部材の高さと同一な高さを有する前記第２電極は前記誘電層で覆われることを特徴とする，請求項１３に記載のプラズマ表示パネル。
【請求項１５】
前記第１電極は，前記第１隔壁部材の高さより低い高さを有し，前記第１基板と前記第２基板との間に配置され，
前記第２電極は，前記第２隔壁部材の高さより低い高さを有し，前記第１基板と前記第２基板との間に配置されることを特徴とする，請求項１２に記載のプラズマ表示パネル。
【請求項１６】
前記第１電極及び前記第２電極は，前記第１基板と前記第２基板との間の放電セルの高さ方向の中央に位置することを特徴とする，請求項１５に記載のプラズマ表示パネル。
【請求項１７】
前記第１隔壁部材の高さより低い高さを有する前記第１電極と，前記第１隔壁部材の前記第１電極で覆われていない部分とは誘電層で覆われ，
前記第２隔壁部材の高さより低い高さを有する前記第２電極と，前記第１隔壁部材の前記第１電極で覆われていない部分とは前記誘電層で覆われることを特徴とする，請求項１５または１６に記載のプラズマ表示パネル
【発明の詳細な説明】
【技術分野】
【０００１】
本発明は，側壁に囲まれた閉鎖型放電セルを有する交流駆動型のプラズマ表示パネル（ＰＤＰ）に関するものである。
【背景技術】
【０００２】
ＰＤＰは，ガス放電現象を利用して画像を表示するものであって，表示容量，輝度，コントラスト，残像，視野角などの各種表示能力に優れており，ＣＲＴを代替することができる装置として脚光を浴びている。このＰＤＰは，電極に印加される直流または交流電圧によって電極間にガス放電を発生させ，これに伴って放射される紫外線によって蛍光体を励起させ可視光を発生させる。
【０００３】
交流型ＰＤＰは，各電極の表面が誘電体で覆われており，放電維持電極であるＸ電極とＹ電極とを備えた前面基板と，アドレス電極を備えた背面基板とを，蛍光体層が形成されている隔壁を挟んで接合させることにより，前記隔壁によって区画形成された放電セルを形成し，この放電セルにＮｅ-Ｘｅのような不活性ガスを充填することによって形成される。
【０００４】
前記アドレス電極とＹ電極にそれぞれアドレス電圧（順極性）とスキャンパルス（逆極性）とを印加すれば，二つの電極の間でアドレス放電が起こって放電セルに所定の電荷が蓄積されて，そのセルが選択された状態になる。蓄積された電荷は壁電荷と呼ばれ，逆方向の放電を起こり易くする。
【０００５】
このアドレス放電に次いで，Ｘ電極とＹ電極に，各々逆極性と順極性の放電維持電圧を印加すれば，Ｘ，Ｙ電極間の実効電圧が前記壁電荷によって形成された壁電圧の効果により，放電開示電圧を越し，これによって前記放電セル内には維持放電が起こる。
【０００６】
この維持放電状態では，放電光の中に紫外線領域の光が含まれ，この紫外線が放電セル内の蛍光体層に衝突して各蛍光体特有の可視光を発光し，これにより放電セル別に形成されるそれぞれの画素が組み合わされて画像を実現する。
【０００７】
すなわち，前記ＰＤＰは，各放電セル領域内の前面基板上にＸ，Ｙ電極を備え，このＸ，Ｙ電極の線状集合と交差するように，放電セル領域内の背面基板上にアドレス電極の線状集合を備えている，３電極型放電セルの集合体構造に形成される。
【発明の開示】
【発明が解決しようとする課題】
【０００８】
しかし，この３電極ＰＤＰは，Ｘ電極とＹ電極との間の距離を短く維持することで放電開始電圧を低くできるものの，同時に発光効率も低下し，さらにＸ電極とＹ電極とを前面基板に備えており，面放電となるので円滑な放電が難しく，また放電セルから発光する可視光をＸ，Ｙ電極が遮断して開口率（または光効率）を低減させてしまう不具合があった。
【０００９】
そこで，本発明は，このような問題に鑑みてなされたもので，その目的とするところは，円滑な放電を可能にし，放電セルで発光した可視光が遮断されるのを最少化して光効率を向上させることのできるプラズマ表示パネルを提供することにある。
【課題を解決するための手段】
【００１０】
上記課題を解決するために，本発明のある観点によれば，壁に囲まれた閉鎖型の放電セルを有する交流駆動型のプラズマ表示パネルにおいて，互いに対向配置される第１基板及び第２基板と，第１基板と第２基板との間に連続して配置され，放電セルの一方向に対向する側壁となる複数の隔壁と，隔壁と交差する方向に交互に連続して伸張形成され，放電セルの一方向と交差する方向に対向する側壁となる第１電極及び第２電極と，隔壁と，第１電極及び第２電極とによって区切られた放電セル内にそれぞれ形成される蛍光体層と，第２基板に，隔壁と同方向に伸張形成されるアドレス電極と，第１基板に，アドレス電極と交差する方向に伸張形成される第３電極と，を備えることを特徴とする，プラズマ表示パネルが提供される。
【００１１】
このように，壁に囲まれる閉鎖型の放電セルを複数の隔壁と，例えば放電維持電極のＸ，Ｙ電極となる第１電極及び第２電極の壁によって囲んで形成することにより，第１電極及び第２電極の間で対向放電を起こすことができ，Ｘ，Ｙ電極が平面的に並んでいる面放電よりも円滑な放電を可能にすることができる。また，Ｘ，Ｙ電極が光の通過を遮らない方向に形成されており，第１基板に第３電極を形成することにより，放電セルの発光面積及び光放射用開口面積を広くでき，発光効率と光透過効率を共に高めることができる。
【００１２】
放電セルは，アドレス電極の伸張方向に形成される隔壁と，隔壁と交差する方向に配置される第１電極及び第２電極とによって，四角形に形成されてもよい。放電セルが，隔壁及び隔壁と交差する方向に配置される第１及び第２電極によって四角形に形成されることにより，従来のストライプ形隔壁によって区画される放電セルに比べて蛍光体途布面積が増加し，発光効率を向上させることができる。隔壁の形状によっては，六角形や八角形なども可能である。
【００１３】
第１電極及び第２電極は，アドレス電極の伸張方向に隣接する放電セルに共通に作用するように配置されるとよい。また，第１電極，第２電極及び第３電極は，第１基板と第２基板との間に，第１電極，第３電極，第２電極，第３電極，第１電極の順序に反復配置されとよく，パネル全体での均一な放電が可能となる。
【００１４】
また，第１電極及び第２電極は，帯状に形成され，放電セルのアドレス電極の伸張方向の両側に平行に面対向配置されるとよく，容易に対向放電を起こすことができる。さらに，第１電極及び第２電極は，放電セルの外郭を形成する非放電領域に配置されることによって放電セルから発光する可視光を遮断しないので，不透明材料で形成することができ，電気伝導性に優れた金属材質で形成することができる。
【００１５】
さらに，第１電極及び第２電極のアドレス電極の伸張方向の両側面には，誘電層が形成されるとよく，壁電荷が容易に形成される。また，誘電層は，蛍光体層で覆われることができ，プラズマ放電による真空紫外線によって励起されて可視光を発光する。
【００１６】
第３電極は，第１基板上に第１電極及び第２電極と同方向に伸張形成され，第１電極と第２電極との間に対応して位置する透明電極と，透明電極上に透明電極と同方向に伸張形成されるバス電極と，を有するとよい。透明電極は，放電セル内部でアドレス電極とアドレス放電を起こして，開口率確保のために透明な素材で形成することができ，バス電極は，透明電極の高い電気的抵抗を補償して通電性を確保することができる。
【００１７】
この時，バス電極の幅は，透明電極の幅より狭く形成されて，可視光の遮断を最少化できるようにするとよい。また，第３電極は，誘電層とＭｇＯ保護膜とで覆われるとよい。誘電層に壁電荷が蓄積すされ，ＭｇＯ保護膜はこの誘電層を保護しながら二次電子の放出を増大させることができる。
【００１８】
放電セルは，アドレス電極の伸張方向に形成された隔壁と，隔壁と交差する方向に配置される第１電極及び第２電極とによって，四角形に形成されて，第１電極は，第１隔壁部材を挟む両側に分離形成され，第２電極は，第２隔壁部材を挟む両側に分離形成されてもよい。
【００１９】
この時，第１電極は，第１隔壁部材の高さと同一な高さを有し，第１基板と第２基板との間に配置され，第２電極は，第２隔壁部材の高さと同一な高さを有し，第１基板と第２基板との間に配置されることができる。この場合，第１隔壁部材の高さと同一な高さを有する第１電極は誘電層で覆われ，第２隔壁部材の高さと同一な高さを有する第２電極は誘電層で覆われるとよい。
【００２０】
また上記と異なり，第１電極は，第１隔壁部材の高さより低い高さを有し，第１基板と第２基板との間に配置され，第２電極は，第２隔壁部材の高さより低い高さを有し，第１基板と第２基板との間に配置されてもよい。この時，第１電極及び第２電極は，第１基板と第２基板との間の放電セルの高さ方向の中央に位置することができる。
【００２１】
この場合，第１隔壁部材の高さより低い高さを有する第１電極と，第１隔壁部材の第１電極で覆われていない部分とは誘電層で覆われ，第２隔壁部材の高さより低い高さを有する第２電極と，第１隔壁部材の第１電極で覆われていない部分とは誘電層で覆われるとよい。
【発明の効果】
【００２２】
以上詳述したように本発明によれば，放電セルを複数の隔壁と，第１電極及び第２電極とによって囲んで形成することにより，第１電極及び第２電極の間で対向放電を起こすことができ，円滑な放電を可能にすることができる。また，アドレス電極と交差する第１電極及び第２電極を第１基板上に形成せずに第３電極を第１基板に形成するため，放電領域での可視光の遮断を最少化することができ放電効率を向上させることができる。
【発明を実施するための最良の形態】
【００２３】
以下に添付図面を参照しながら，本発明の好適な実施の形態について詳細に説明する。なお，本明細書及び図面において，実質的に同一の機能構成を有する構成要素については，同一の符号を付することにより重複説明を省略する。
【００２４】
（第１の実施の形態）
図１は，本発明の第１の実施の形態によるプラズマ表示パネルを概略的に示した分解斜視図である。放電セルは直方体形（四角形）であり，ｙ軸に平行な隔壁５，下面中央をｙ方向に通るアドレス電極１５，上面中央をｘ方向に通るＭ電極１７（第３電極），ｘ軸に沿って隔壁のように形成されたＸ電極７（第１電極）とＹ電極９（第２電極），セル内面を覆う蛍光体層１３，及び各種絶縁膜であるＭｇＯ保護膜２５と誘電層１９，２１，２３を備えている。
【００２５】
Ｍ電極１７が通る上面は，従来構造であればＸ電極７とＹ電極９とが通っていたので，光の通過面積が少なかったが，本実施の形態においてはＭ電極１７が通っているだけなので，光の通過面積が広くなり，光効率が向上する。
【００２６】
図１を参照してＰＤＰを説明すれば，本実施の形態によるＰＤＰは，間隔を置いて相互対向配置されて接合される前面基板１（第１基板）と背面基板３（第２基板）とを備えて形成される。なお，前面または背面という方向性は，本願発明の必須要件ではないので，前面と背面の関係が本実施の形態と反転していても本願発明の技術範囲に含まれることは当然である。
【００２７】
この前面基板１と背面基板３との間には，複数の絶縁性の隔壁５とこれに交差する方向にＸ電極７（第１電極）及びＹ電極９（第２電極）が交互に配置され，閉鎖型の放電セル１１Ｒ，１１Ｇ，１１Ｂを区画形成する。このとき，Ｘ電極７及びＹ電極９は，あたかも屏風絵を壁の中に埋め込んだような状態になっていて，光の通過を遮らない方向に形成されているので，放電セルの発光面積及び光放射用開口面積を広くでき，発光効率と光透過効率を共に高めることができる。
【００２８】
この放電セル１１Ｒ，１１Ｇ，１１Ｂ内には，赤色（Ｒ），緑色（Ｇ），青色（Ｂ）の蛍光体による蛍光体層１３Ｒ，１３Ｇ，１３Ｂがそれぞれ備えられる。この蛍光体層１３Ｒ，１３Ｇ，１３Ｂは，プラズマ放電による真空紫外線によって励起されて可視光を発光する。この背面基板３には，アドレス電極１５が伸張形成され，前面基板１には，アドレス放電のために，従来のＹ電極に代わって，アドレス電極１５と交差する方向にＭ電極１７（第３電極）が伸張形成される。
【００２９】
前記のように，放電セル１１Ｒ，１１Ｇ，１１Ｂは，アドレス電極１５の伸張方向（ｙ軸方向）に伸張形成されて互いに並んで配置される隔壁５と，この隔壁５と交差する方向（ｘ軸方向）に伸張形成されて互いに並んで配置されるＸ電極７とＹ電極９とによる閉鎖型構造で形成される。隔壁５とＸ電極７及びＹ電極９とが互いに直角に交差することによって放電セル１１Ｒ，１１Ｇ，１１Ｂは示されたように四角形で形成される。放電セルが，隔壁５，Ｘ電極７，及びＹ電極９によって四角形に形成されることにより，従来のストライプ形隔壁によって区画される放電セルに比べて，蛍光体途布面積が増加し，発光効率を向上させることができる。
【００３０】
この隔壁５は，ｙ軸方向に伸張形成されてｘ軸方向に放電セル１１Ｒ，１１Ｇ，１１Ｂの外郭に対応する間隔に配置され，このＸ電極７とＹ電極９とはｘ軸方向に伸張形成されて，放電セル１１Ｒ，１１Ｇ，１１Ｂの外郭のｙ軸方向に交互に，対応する間隔で配置される。Ｘ電極７とＹ電極９とがｘ軸方向に伸張形成される場合，放電セル１１Ｒ，１１Ｇ，１１Ｂは，隔壁５の形状によって四角形，六角形，または八角形など多様に形成することができる。
【００３１】
図２は，図１の部分平面図である。この図面を参照して隔壁５を説明すれば，隔壁５は背面基板３の誘電層１９上に高さ（図面のｚ軸方向）を有して形成される。この隔壁５の高さは，前面基板１と背面基板３との間隔を限定する。Ｘ電極７とＹ電極９とがｘ軸方向に伸張形成されることによって，隔壁５はＸ電極７とＹ電極９との間でｙ軸方向に伸張形成されて配置される。すなわち，隔壁５はＸ電極７とＹ電極９とによって各放電セル１１Ｒ，１１Ｇ，１１Ｂのｙ軸方向に分離される。
【００３２】
アドレス電極１５は，Ｘ電極７，Ｙ電極９，Ｍ電極１７と交差する方向に背面基板３上でｙ軸方向に伸張形成され，誘電層１９に埋め込まれている。このアドレス電極１５は，放電セル１１Ｒ，１１Ｇ，１１Ｂの中央でＭ電極１７と相互作用してスキャン期間でアドレス放電を起こすように各放電セル１１Ｒ，１１Ｇ，１１Ｂの中央に対応して配置されることが好ましい。
【００３３】
このアドレス電極１５にアドレス電圧を印加し，Ｍ電極１７にスキャンパルスを印加すれば，選択された二つの電極の間の放電セル１１Ｒ，１１Ｇ，１１Ｂ内でアドレス放電が起こりながら，放電セル１１Ｒ，１１Ｇ，１１Ｂが選択され，このように選択された放電セル１１Ｒ，１１Ｇ，１１Ｂ内に壁電荷を形成する。
【００３４】
このアドレス電極１５と交差するＸ電極７及びＹ電極９は，放電セル１１Ｒ，１１Ｇ，１Ｂの両側に対向して形成される。リセット期間では，Ｍ電極１７に印加されるリセット立上り波形及びリセット立下り波形によってリセット放電が起こり，このリセット期間に繋がるスキャン期間では，前記のようにＭ電極１７に印加されるスキャンパルス波形とアドレス電極１５に印加されるパルス波形によってアドレス放電が起こり，その後，維持期間ではＸ電極７とＹ電極９とに印加される維持電圧によって維持放電が起こって，ＰＤＰに画像が表示される。
【００３５】
このＸ電極７及びＹ電極９は，アドレス電極１５の伸張方向に隣接する放電セル１１Ｒ，１１Ｇ，１１Ｂに共通に作用するように配置される。そしてＭ電極１７は，Ｘ電極７とＹ電極９との間に対応する位置の前面基板１上に形成される。すなわち，前面基板１と背面基板３との間の空間で，Ｘ電極７，Ｙ電極９及びＭ電極１７は，Ｘ電極７，Ｍ電極１７，Ｙ電極９，Ｍ電極１７，Ｘ電極７…，…Ｙ電極９，Ｍ電極１７，Ｘ電極７，Ｍ電極１７，Ｙ電極９の順序に反復配置される。すなわち，Ｘ電極７及びＹ電極９が交互に配置され，このＸ電極７とＹ電極９との間及びＸ電極９とＹ電極７との間にＭ電極１７がそれぞれ位置する。
【００３６】
図３は，図１のＡ−Ａ線に沿って見た断面図である。図３を参照してＸ電極７及びＹ電極９の構造を説明すれば，このＸ電極７及びＹ電極９はアドレス電極５と交差しながら放電セル１１Ｒ，１１Ｇ，１１Ｂのｙ軸方向の両側を形成するように誘電層１９上に備えて，誘電層２１で覆われている。
【００３７】
この誘電層２１には，Ｘ電極７及びＹ電極９が対向放電を起こす時，壁電荷が蓄積される。この誘電層２１には，蛍光体層１３Ｒ，１３Ｇ，１３Ｂが形成される。したがって，この蛍光体層１３Ｒ，１３Ｇ，１３Ｂは，背面基板３の誘電層１９上と，隔壁５の対向内側面と，Ｘ電極７及びＹ電極９を覆っている誘電層２１の対向内側面とに形成される。
【００３８】
このＸ電極７及びＹ電極９は，図１のｚ軸方向に高さを有しながら，ｘ軸方向に帯状に伸張され，アドレス電極１５の伸張方向（ｙ軸方向）に放電セル１１Ｒ，１１Ｇ，１１Ｂの両側に平行に面対向構造で配置される。このＸ電極７及びＹ電極９の面対向構造は，対向放電を可能にし，面放電より円滑な放電を可能にする。
【００３９】
このＸ電極７及びＹ電極９は，隣接した放電セル１１Ｒ，１１Ｇ，１１Ｂに共通に維持放電作用するように配置されて，従来，隣接した放電セル１１Ｒ，１１Ｇ，１１Ｂの間にＸ，Ｙ電極が配置されることにより発生していた非放電領域を除去することができるため，放電領域を増大させ，放電効率を向上させる。
【００４０】
また，このＸ電極７及びＹ電極９は，放電セル１１Ｒ，１１Ｇ，１１Ｂの外郭を形成する非放電領域に配置されることによって放電セル１１Ｒ，１１Ｇ，１１Ｂから発光する可視光を遮断しないので，不透明材料で形成することができる。そのため，アルミニウム（Ａｌ）のように電気伝導性に優れた金属材質で形成されることが好ましい。
【００４１】
そして，Ｍ電極１７はスキャン期間でアドレス電極１５と相互作用（すなわち，Ｍ電極１７にスキャンパルスを印加し，アドレス電極１５にアドレス電圧を印加する）して，アドレス放電を起こし，放電セル１１Ｒ，１１Ｇ，１１Ｂを選択する。
【００４２】
本実施の形態においては，Ｘ電極７及びＹ電極９は，維持放電に必要な電圧を印加するための電極の役割を果たし，Ｍ電極１７はリセットパルス及びスキャンパルス波形を印加するための電極の役割を果たす。しかしながら，Ｘ電極７，Ｙ電極９，及びＭ電極１７は，それぞれの電極に印加される電圧の波形によってその役割を異にすることができるのでこの役割に限定されるものではない。
【００４３】
Ｍ電極１７は，透明電極１７ａやバス電極１７ｂのみで形成することもできるが，本実施の形態においては，透明電極１７ａとバス電極１７ｂとから成ったＭ電極１７を例示している。ここで透明電極１７ａは，放電セル１１Ｒ，１１Ｇ，１１Ｂの内部でアドレス電極１５とアドレス放電を起こす役割を果たすものであって，開口率確保のために透明な素材，例えばＩＴＯ（Ｉｎｄｉｕｍ  Ｔｉｎ  Ｏｘｉｄｅ）で形成されることができ，バス電極１７ｂはこの透明電極１７ａの高い電気的抵抗を補償して通電性を確保するものであって，アルミニウム（Ａｌ）のような金属材料で形成することができる。
【００４４】
また，このバス電極１７ｂは，放電セル１１Ｒ，１１Ｇ，１１Ｂの中心に配置され，可視光の遮断を最少化できるように，図２，３に示すように透明電極１７ａの幅Ｗａより狭い幅Ｗｂで形成されることが好ましい。このＭ電極１７は，壁電荷を蓄積する誘電層２３とこの誘電層２３を保護しながら二次電子の放出を増大させるＭｇＯ保護膜２５で覆われる。
【００４５】
このように，複数の隔壁とＸ，Ｙ電極とによって放電セルを囲んで形成することにより，Ｘ電極及びＹ電極の間で対向放電を起こすことができ，円滑な放電を可能にすることができる。また，Ｘ，Ｙ電極が光の通過を遮らない方向に形成されており，前面基板にはＭ電極を形成してアドレス電極と相互作用させるようにしたので，放電セルの発光面積及び光放射用開口面積を広くでき，発光効率と光透過効率を共に高めることができる。
【００４６】
（第２の実施の形態）
図４は，第２の実施の形態によるプラズマ表示パネルを図３と比較して示した断面図である。この図面を参照して第２の実施の形態を説明すれば，第２の実施の形態は第１の実施の形態と全体的な構成は同様であり，ここでは同じ部分に対しての詳細な説明を省略し，相異なる部分について説明する。
【００４７】
第１の実施の形態においては，Ｘ電極７及びＹ電極９自体が，アドレス電極１５の伸張方向（ｙ軸方向）に対して放電セル１１Ｒ，１１Ｇ，１１Ｂの両側をそれぞれ形成していた。これに比べて，第２の実施の形態においては，Ｘ電極７は第１隔壁部材７ａを挟んでその両側に分離形成され，Ｙ電極９は第２隔壁部材９ｂを挟んでその両側に分離形成される。
【００４８】
この時，Ｘ電極７は第１隔壁部材７ａと同一な高さ（ｚ軸方向）で前面基板１と背面基板３との間に配置され，Ｙ電極９は第２隔壁部材９ａと同一な高さ（ｚ軸方向）で前面基板１と背面基板３との間に配置される。
【００４９】
このＸ電極７及びＹ電極９は，絶縁性の第１隔壁部材７ａ及び第２隔壁部材９ａのそれぞれに蒸着などの方法で導電体を塗布して形成され，その後，この導電体に誘電体を塗布する。したがって，Ｘ電極７は第１隔壁部材７ａの両側に形成されて誘電層２１で覆われ，Ｙ電極９は第２隔壁部材９ａの両側に形成されて誘電層２１で覆われる。
【００５０】
第１の実施の形態のように，Ｘ電極７及びＹ電極９が交互に配置されるので，分離されたＸ電極７には同一な維持電圧が印加され，分離されたＹ電極９にも同一な維持電圧が印加される。ただし，本実施の形態の場合，分離形成された両電極に同一な電圧を印加することができるだけで無く，互いに異なる電圧を印加することもできる。
【００５１】
（第３の実施の形態）
図５は，第３の実施の形態によるプラズマ表示パネルを図４と比較して示した断面図である。図５を参照して第３の実施の形態を説明すれば，第３の実施の形態は第２の実施の形態と全体的な構成は同様であり，ここでは同じ部分に対しての詳細な説明を省略し，相異なる部分について説明する。
【００５２】
第２の実施の形態は，Ｘ電極７及びＹ電極９をそれぞれ第１隔壁部材７ａ及び第２隔壁部材９ａと同一な高さで形成しているが，第３の実施の形態においては，Ｘ電極７及びＹ電極９をそれぞれ第１隔壁部材７ａ及び第２隔壁部材９ａの高さより低い高さで形成している。この時，Ｘ電極７及びＹ電極９は前面基板１と背面基板３との間に形成される放電セル１１Ｒ，１１Ｇ，１１Ｂの高さ方向（ｚ軸方向）の中央に位置する。
【００５３】
したがって，Ｘ電極７及びＹ電極９と第１隔壁部材７ａ及び第２隔壁部材９ａとは誘電層２１で覆われる。この第３の実施の形態は，第２の実施の形態と同様にＸ電極７及びＹ電極９を多様に実現することができるということを示す。また，Ｘ電極７及びＹ電極９を放電セル１１Ｒ，１１Ｇ，１１Ｂの両側に隔離させて形成する際に，誘電層２１で覆うことにより短絡の可能性を除去することができる効果もある。
【００５４】
以上，添付図面を参照しながら本発明の好適な実施形態について説明したが，本発明は係る例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【産業上の利用可能性】
【００５５】
本発明はプラズマ表示パネルに適用可能であり，側壁に囲まれた閉鎖型放電セルを有する交流駆動型のプラズマ表示パネルに適用可能である。
【図面の簡単な説明】
【００５６】
【図１】第１の実施の形態によるプラズマ表示パネルを示す概略分解斜視図である。
【図２】第１の実施の形態によるプラズマ表示パネルを示す概略平面図である。
【図３】図１のＡ−Ａ線に沿った断面図である。
【図４】第２の実施の形態によるプラズマ表示パネルを示す断面図である。
【図５】第３の実施の形態によるプラズマ表示パネルを示す断面図である。
【符号の説明】
【００５７】
１      前面基板
３      背面基板
５      隔壁
７      Ｘ電極
９      Ｙ電極
１７      Ｍ電極
１１Ｒ    放電セル
１１Ｇ    放電セル
１１Ｂ    放電セル
１３Ｒ    蛍光体層
１３Ｇ    蛍光体層
１３Ｂ    蛍光体層
１５      アドレス電極
２１      誘電層
２３      誘電層
２５      ＭｇＯ保護膜
【図１】
2006019291.tif 000003
【図２】
2006019291.tif 000004
【図３】
2006019291.tif 000005
【図４】
2006019291.tif 000006
【図５】
2006019291.tif 000007